【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
内部ルーメン、近位端、および遠位端を有するとともに、該遠位端に遠位側開口部を有する長尺状のパドルシャフトであって、前記遠位側開口部は該内部ルーメンに続く、パドルシャフトと、
同パドルシャフトの前記近位端に固定されるパドルブレードと、
帆および折り畳み可能な支持構造体を含む帆組立体とを備え、同帆組立体は、格納形態および展開形態を含み、該格納形態において、前記支持構造体および前記帆は、互いに固定されるとともに前記パドルシャフトの内部ルーメン内に摺動自在に収容され、前記展開形態において、前記支持構造体および帆は、互いに固定されるとともに前記パドルシャフトの前記遠位端から外方に延び、前記帆組立体は、前記長尺状のパドルシャフトの前記遠位側開口部から伸縮自在かつ摺動自在に延びることにより、格納形態から展開形態に変形することを特徴とするパドル。
【請求項２】
内部ルーメン、近位端、および遠位端を有するとともに、該遠位端に遠位側開口部を有する長尺状のパドルシャフトであって、前記遠位側開口部は該内部ルーメンに続く、パドルシャフトと、
同パドルシャフトの前記近位端に固定されるパドルブレードと、
帆および折り畳み可能な支持構造体を含む帆組立体とを備え、同帆組立体は、収容形態および展開形態を含み、該収容形態において、前記支持構造体および前記帆は、前記パドルシャフトの内部ルーメン内に摺動自在に収容され、前記展開形態において、前記支持構造体および帆は、前記パドルシャフトの前記遠位端から外方に延び、前記折り畳み可能な支持構造体は、マストおよびブームを備え、該マストは、マスト近位端およびマスト遠位端を含み、前記ブームは、ブーム近位端およびブーム遠位端を含み、前記ブーム近位端は、ブーム取り付け点で前記マストに枢動自在に固定され、前記収容形態において、前記マスト、前記ブーム、および前記帆は、前記パドルシャフトの内部ルーメン内に摺動自在に位置され、該ブームは、該マストと略平行であり、前記展開形態において、前記帆、前記マスト、および前記ブームは、前記パドルシャフトの内部ルーメン外に位置され、該ブームは、該マストと略非平行であり、該帆組立体は、前記ブームを前記マストの配向に対して略非平行な配向に枢動させることにより、前記収容形態から前記展開形態に変形することを特徴とするパドル。
【請求項３】
前記ブーム取り付け点は、前記帆組立体が展開形態にある場合に、前記マスト近位端および前記パドルシャフトの遠位端に位置されることを特徴とする請求項２に記載のパドル。
【請求項４】
前記マストは、前記帆組立体が展開形態にある場合に、前記パドルシャフトと略長手方向に整列するように位置されることを特徴とする請求項２に記載のパドル。
【請求項５】
前記ブームは、前記帆組立体が展開形態にある場合に、前記マストと略直交するように位置されることを特徴とする請求項２または４に記載のパドル。
【請求項６】
前記パドルシャフトは、前記パドルブレードが固定される下部シャフト部、上部シャフト部、およびシャフトロック機構を備え、同シャフトロック機構のロックが解除される場合に、前記下部シャフト部および前記上部シャフト部は互いに対して伸縮自在かつ回動自在に移動可能であり、前記シャフトロック機構がロックされる場合に、前記下部シャフト部および前記上部シャフト部は、互いに対して伸縮自在にロックされることを特徴とする請求項５に記載のパドル。
【請求項７】
前記シャフトロック機構がロックされると、前記下部シャフト部および前記上部シャフト部は相対回転可能にロックされることを特徴とする請求項６に記載のパドル。
【請求項８】
前記帆は、その近位端よりその遠位端により近い位置で前記ブームに固定される帆ストラップをさらに備え、同帆ストラップは、ユーザが手を通してこれにより前記帆ストラップを把持することができるような寸法に形成されるとともに構成されることを特徴とする請求項５に記載のパドル。
【請求項９】
パドルボードで水面を横断するように移動する方法であって、
水にパドルボードを載置する工程と、
ユーザの手でパドルを保持する工程であって、該パドルは近位端および遠位端を有するパドルシャフトを含み、パドルブレードは該近位端に固定され、帆、マスト、および長尺状帆支持体を含む帆組立体は前記パドルシャフト内に摺動自在に位置され、前記ユーザは前記パドルシャフトによってパドルを保持する、パドルを保持する工程と、
前記パドルボードの上面に立つ工程と、
前記水に前記パドルブレードを載置するとともに前記パドルブレードによって前記水を押圧することにより前記ボードを漕ぐ工程と、
前記シャフトの遠位端を介して前記パドルシャフトから前記帆組立体を伸縮自在かつ摺動自在に延ばす工程と、
展開形態に前記帆組立体を広げる工程であって、前記長尺状帆支持体はマストと非平行である、前記帆組立体を広げる工程と、
前記展開形態において前記帆組立体を固定する工程と、
前記パドルボードの移動を可能にする風を捕らえ、かつ／または再配向するために、前記展開した帆組立体が前記ボード上にあるように前記パドルおよび展開した前記帆組立体を前記ユーザの正面に配置することにより、前記パドルボードを帆走させる工程とを含むことを特徴とするパドルボードで水面を横断するように移動する方法。
【請求項１０】
前記パドルボードを帆走させる工程の後に、
前記展開形態から前記帆組立体の固定を解除する工程と、
前記展開形態から前記帆組立体を折り畳む工程と、
前記シャフトの前記遠位端を介して前記帆組立体を前記パドルシャフトに摺動自在かつ伸縮自在に格納する工程とをさらに含むこと請求項９に記載の方法。
【請求項１１】
パドルボードで水面を横断するように移動する方法であって、
水にパドルボードを載置する工程と、
ユーザの手でパドルを保持する工程であって、該パドルは近位端および遠位端を有するパドルシャフトを含み、パドルブレードは該近位端に固定され、帆組立体は前記パドルシャフト内に摺動自在に位置され、前記ユーザは前記パドルシャフトによって前記パドルを保持する、パドルを保持する工程と、
前記パドルボードの上面に立つ工程と、
前記水に前記パドルブレードを載置するとともに前記パドルブレードによって前記水を押圧することにより前記ボードを漕ぐ工程と、
前記シャフトの遠位端を介して前記パドルシャフトから前記帆組立体を伸縮自在かつ摺動自在に延ばす工程と、
展開形態に前記帆組立体を広げる工程と、
前記展開形態において前記帆組立体を固定する工程と、
前記パドルボードの移動を可能にする風を捕らえ、かつ／または再配向するために、展開した前記帆組立体が前記ボード上にあるように前記パドルおよび展開した前記帆組立体を配置することにより、前記パドルボードを帆走させる工程とを含み、
前記パドルボードを帆走させる工程は、前記パドルボードの側部と略平行なブレードとともに、前記パドルボードの前記側部に沿って水中にパドルブレードを入れる工程を含むことを特徴とするパドルボードで水面を横断するように移動する方法。
【請求項１２】
パドルボードで水面を横断するように移動する方法であって、
水にパドルボードを載置する工程と、
ユーザの手でパドルを保持する工程であって、該パドルは近位端および遠位端を有するパドルシャフトを含み、パドルブレードは該近位端に固定され、帆組立体は前記パドルシャフト内に摺動自在に位置され、前記ユーザは前記パドルシャフトによってパドルを保持する、パドルを保持する工程と、
前記パドルボードの上面に立つ工程と、
前記水に前記パドルブレードを載置するとともに前記パドルブレードによって前記水を押圧することにより前記ボードを漕ぐ工程と、
前記シャフトの遠位端を介して前記パドルシャフトから前記帆組立体を伸縮自在かつ摺動自在に延ばす工程と、
展開形態に前記帆組立体を広げる工程と、
前記展開形態において前記帆組立体を固定する工程と、
前記パドルボードの移動を可能にする風を捕らえ、かつ／または再配向するために、展開した前記帆組立体が前記ボード上にあるように前記パドルおよび展開した前記帆組立体を配置することにより、前記パドルボードを帆走させる工程とを含み、
前記パドルボードを帆走させる工程は、前記パドルブレードが前記パドルボードの側部から角度をなすように、前記パドルボードの前記側部に沿って前記パドルブレードを水中に入れることにより、前記パドルボードを操舵する工程を含むことを特徴とするパドルボードで水面を横断するように移動する方法。
【請求項１３】
内部ルーメン、近位端、および遠位端を有するとともに、該遠位端に遠位側開口部を有する長尺状のパドルシャフトであって、前記遠位側開口部は該内部ルーメンに続く、パドルシャフトと、
同パドルシャフトの前記近位端に固定されるパドルブレードと、
帆および折り畳み可能な支持構造体を含む帆組立体とを備え、同帆組立体は、収容形態および展開形態を含み、該収容形態において、前記支持構造体および前記帆組立体は、前記パドルシャフトの内部ルーメン内に摺動自在に収容され、前記展開形態において、前記支持構造体および帆は、前記パドルシャフトの前記遠位端から外方に延び、前記支持構造体は、マストおよび長尺状帆支持体を備え、前記収容形態において、主マスト、前記長尺状帆支持体、および前記帆は、前記パドルシャフトの内部ルーメン内に摺動自在に位置され、該長尺状帆支持体は、該主マストと略平行であり、前記展開形態において、前記帆、前記主マスト、および前記長尺状帆支持体は、前記パドルシャフトの内部ルーメン外に位置され、該長尺状帆支持体は、該マストと略非平行であり、該帆組立体は、前記長尺状パドルシャフトの前記遠位側開口部から伸縮自在かつ摺動自在に延びるとともに前記長尺状帆支持体を前記主マストから略非平行な配向に回動することにより、前記収容形態から前記展開形態に変形することを特徴とするパドル。
【請求項１４】
前記帆はスリーブを含み、前記長尺状帆支持体は該スリーブ内に配置されることを特徴とする請求項１３に記載のパドル。
【請求項１５】
前記展開形態において、前記主マストは前記パドルシャフトに長手方向に並べられ、前記長尺状帆支持体は前記主マストから６０乃至１２０度の角度をなして配置されることを特徴とする請求項１４に記載のパドル。
【請求項１６】
前記展開形態における前記長尺状帆支持体は、前記マストから８０乃至１００度の角度をなして配置されることを特徴とする請求項１４に記載のパドル。
【請求項１７】
前記長尺状帆支持体は第１の外側マストであり、前記折り畳み可能な支持構造体は第２の外側マストを更に備え、前記収容形態において、前記第１の外側マストおよび前記第２の外側マストは、前記パドルシャフト内に摺動自在に収容されるとともに前記主マストに対して略平行であり、前記展開形態において、前記第１の外側マストは、前記主マストの第１の側部で前記主マストから離間するように角度をなし、前記展開形態において、前記第２の外側マストは、前記主マストの第２の側部で前記主マストから離間するように角度をなし、前記主マストの前記第１の側部は、前記主マストの前記第２の側部に対向することを特徴とする請求項１３に記載のパドル。
【請求項１８】
前記展開形態において、前記第１の外側マストは、前記主マストの第１の側部で前記主マストから離間するように３０乃至９０度の角度をなし、前記展開形態において、前記第２の外側マストは、前記主マストの第２の側部で前記主マストから離間するように３０乃至９０度の角度をなすことを特徴とする請求項１７に記載のパドル。
【請求項１９】
人がその上に立つように構成されるスタンドアップパドルボードと、
請求項１乃至８または請求項１３乃至１８のうちのいずれか一項に記載のパドルを含むことを特徴とする水上輸送用のシステム。
【手続補正２】
【補正対象書類名】明細書
【補正対象項目名】発明の名称
【補正方法】変更
【補正の内容】
【発明の名称】スタンドアップパドルボード用の帆を備えたパドル
【手続補正３】
【補正対象書類名】明細書
【補正対象項目名】００１２
【補正方法】変更
【補正の内容】
【００１２】
本発明の実施形態によるパドルは、スタンドアップパドル乗りの成長するスポーツ用に特に設計されたパドルである。スタンドアップパドルは、ユーザが所定の方向（すなわち風による）に漕ぐことなく帆走または移動ができるように、容易に移動するためのスタンドアップ帆走装置に切り替えることができる。さらに、これは風に対してジグザグに進むとともに調和することにより、帆走することに使用されてもよい。帆走に必要なものはすべてパドルのシャフト／管状体（長さ４乃至６と１／２インチ（約１０１．６ｍｍ乃至１６５．１ｍｍ）である）内に含まれ、外部付属物やハードウェアは不要である。
【手続補正４】
【補正対象書類名】明細書
【補正対象項目名】００１８
【補正方法】変更
【補正の内容】
【００１８】
【図１】本発明の実施形態によるシステムを示す斜視図。
【図２Ａ】本発明の実施形態による、帆組立体を収容したパドルを示す斜視図。
【図２Ｂ】本発明の実施形態による、帆組立体が展開中のパドルを示す斜視図。
【図２Ｃ】本発明の実施形態による、帆組立体を完全に展開したパドルを示す斜視図。
【図３】図２Ａ乃至２Ｃのパドルを示す（分解）斜視図。
【図４Ａ】図３のパドルの部分を示す拡大（分解）斜視図。
【図４Ｂ】図３のパドルの部分を示す拡大（分解）斜視図。
【図４Ｃ】図３のパドルの部分を示す拡大（分解）斜視図。
【図５Ａ】本発明の実施形態によるパドルブレードを示す上面図。
【図５Ｂ】本発明の実施形態によるパドルブレードを示す正面図。
【図５Ｃ】本発明の実施形態によるパドルブレードを示す側面断面図。
【図５Ｄ】本発明の実施形態によるパドルブレードを示す斜視図。
【図６Ａ】本発明の実施形態によるパドルシャフトの下部を示す側面図。
【図６Ｂ】本発明の実施形態によるパドルシャフトの下部を示す上面（断面）図。
【図６Ｃ】本発明の実施形態によるパドルシャフトの下部を示す側面図。
【図６Ｄ】本発明の実施形態によるパドルシャフトの下部を示す側面（拡大）図。
【図６Ｅ】本発明の実施形態によるパドルシャフトの下部を示す斜視図。
【図６Ｆ】本発明の実施形態によるパドルシャフトの下部を示す（拡大）斜視図。
【図７Ａ】本発明の実施形態によるパドルシャフトの上部を示す側面図。
【図７Ｂ】本発明の実施形態によるパドルシャフトの上部を示す上面（断面）図。
【図７Ｃ】本発明の実施形態によるパドルシャフトの上部を示す斜視図。
【図８Ａ】本発明の実施形態によるパドルハンドルを示す斜視図。
【図８Ｂ】本発明の実施形態によるパドルハンドルを示す上面図。
【図８Ｃ】本発明の実施形態によるパドルハンドルを示す背面図。
【図８Ｄ】本発明の実施形態によるパドルハンドルを示す正面図。
【図８Ｅ】本発明の実施形態によるパドルハンドルを示す側面図。
【図８Ｆ】本発明の実施形態によるパドルハンドルを示す側面（断面）図。
【図９Ａ】本発明の実施形態による帆の頂部キャップを示す正面斜視図。
【図９Ｂ】本発明の実施形態による帆の頂部キャップを示す背面斜視図。
【図９Ｃ】本発明の実施形態による帆の頂部キャップを示す側面図。
【図９Ｄ】本発明の実施形態による帆の頂部キャップを示す正面図。
【図９Ｅ】本発明の実施形態による帆の頂部キャップを示す底面図。
【図１０Ａ】本発明の実施形態によるマストを示す側面図。
【図１０Ｂ】本発明の実施形態によるマストを示す側面（拡大）図。
【図１０Ｃ】本発明の実施形態によるマストを示す側面（拡大）図。
【図１１】本発明の実施形態によるブームを示す側面図。
【図１２】本発明の実施形態によるブームヨークを示す斜視図。
【図１３Ａ】本発明の実施形態による内側摺動部を示す斜視図。
【図１３Ｂ】本発明の実施形態による内側摺動部を示す上面図。
【図１３Ｃ】本発明の実施形態による内側摺動部を示す側面図。
【図１３Ｄ】本発明の実施形態による内側摺動部を示す正面図。
【図１３Ｅ】本発明の実施形態による内側摺動部を示す背面図。
【図１４Ａ】本発明の実施形態による外側摺動部を示す斜視図。
【図１４Ｂ】本発明の実施形態による外側摺動部を示す上面図。
【図１４Ｃ】本発明の実施形態による外側摺動部を示す側面図。
【図１４Ｄ】本発明の実施形態による外側摺動部を示す正面図。
【図１４Ｅ】本発明の実施形態による外側摺動部を示す背面図。
【図１５】本発明の実施形態によるマスト、ヨーク、およびブームにより組み立てられた内側摺動部および外側摺動部を示す斜視図。
【図１６Ａ】展開形態におけるハンドル、摺動部、ヨーク、マスト、およびブームを含む本発明によるパドルの遠位部を示す側面図。
【図１６Ｂ】展開形態におけるハンドル、摺動部、ヨーク、マスト、およびブームを含む本発明によるパドルの遠位部を示す側面（断面）図。
【図１６Ｃ】展開形態におけるハンドル、摺動部、ヨーク、マスト、およびブームを含む本発明によるパドルの遠位部を示す側面（断面）図。
【図１７】本発明の実施形態による展開構成におけるパドルを備えた摺動部を示す斜視断面図。
【図１８Ａ】本発明の実施形態によるダウンホールロックを示す斜視図。
【図１８Ｂ】本発明の実施形態によるダウンホールロックを示す上面図。
【図１８Ｃ】本発明の実施形態によるダウンホールロックを示す正面図。
【図１８Ｄ】本発明の実施形態によるダウンホールロックを示す側面図。
【図１８Ｅ】本発明の実施形態によるダウンホールロックを示す側面図。
【図１９Ａ】本発明の実施形態による帆の頂部および下部を示す側面図。
【図１９Ｂ】本発明の実施形態による帆の頂部および下部を示す側面図。
【図１９Ｃ】本発明の実施形態による完全に組み立てられた帆の図１９Ａおよび図１９Ｂの頂部および側部を示す側面図。
【図２０Ａ】本発明の実施形態によるパドルブレードホルダの上面図。
【図２０Ｂ】本発明の実施形態によるパドルブレードホルダの斜視図。
【図２０Ｃ】本発明の実施形態によるパドルブレードホルダの正面（断面）図。
【図２０Ｄ】本発明の実施形態によるパドルブレードホルダの正面図。
【図２０Ｅ】本発明の実施形態によるパドルと組み合わせて使用されるとともにパドルボードに固定される、図２０Ａ乃至２０Ｄのパドルブレードホルダを示す斜視図。
【図２０Ｆ】本発明の実施形態によるパドルと組み合わせて使用されるとともにパドルボードに固定される、図２０Ａ乃至２０Ｄのパドルブレードホルダを示す斜視図。
【図２１Ａ】本発明の実施形態によるパドルブレードホルダを示す上面図。
【図２１Ｂ】本発明の実施形態によるパドルブレードホルダを示す斜視図。
【図２１Ｃ】本発明の実施形態によるパドルブレードホルダを示す側面図。
【図２２Ａ】本発明の実施形態によるパドルブレードホルダを示す斜視図。
【図２２Ｂ】本発明の実施形態によるパドルブレードホルダを示す正面図。
【図２２Ｃ】本発明の実施形態によるパドルブレードホルダを示す側面（断面）図。
【図２３Ａ】展開形態における本発明の実施形態による帆組立体を示す斜視図。
【図２３Ｂ】収容中の構成における本発明の実施形態による帆組立体を示す斜視図。
【図２３Ｃ】収容形態における本発明の実施形態による帆組立体を示す斜視図。
【図２４Ａ】展開形態における本発明のさらなる実施形態によるパドルを示す側面（断面）図。
【図２４Ｂ】収容形態における本発明のさらなる実施形態によるパドルを示す側面（断面）図。
【図２５Ａ】ＳＵＰパドルボードに隣接するパドルブレードを保持するためにストラップを有する本発明によるシステムを示す斜視図。
【図２５Ｂ】ＳＵＰパドルボードに隣接するパドルブレードを保持するためにストラップを有する本発明によるシステムを示す背面図。
【図２６Ａ】ＳＵＰパドルのブレードを受承するためにＳＵＰパドルボードにスロットを有する本発明によるシステムを示す斜視図。
【図２６Ｂ】ＳＵＰパドルのブレードを受承するためにＳＵＰパドルボードにスロットを有する本発明によるシステムを示す正面図。
【図２７】スケートボードおよび帆を内部に有するランドパドルを使用して、操作する者を押し進めるためのシステムを示す斜視図。